(57)【特許請求の範囲】
【請求項１】
塔頂のバーナーから燃料が供給されると共に、上記バーナーよりも下に位置する複数の廃液バーナーから噴霧によって廃液が供給され、当該廃液が焼却される廃液焼却炉の内部を、当該廃液焼却炉の稼働時に清掃する方法であって、
１本の廃液バーナーからの廃液の供給を停止した後、当該廃液バーナーからの空気の供給を停止すると共に、当該廃液バーナーから水蒸気を供給する清掃工程を行うことを特徴とする廃液焼却炉内部の清掃方法。
【請求項２】
上記空気の供給停止および水蒸気の供給を行うことにより、廃液焼却炉内部における当該廃液バーナーの周囲の温度を、８５０℃以上に昇温させることを特徴とする請求項１に記載の廃液焼却炉内部の清掃方法。
【請求項３】
上記清掃工程における空気の供給停止時間、または、水蒸気の供給時間が、４５秒〜９０秒の範囲内であることを特徴とする請求項１または２に記載の廃液焼却炉内部の清掃方法。
【請求項４】
上記清掃工程においては、廃液バーナーを焼損させない程度に水蒸気を供給することを特徴とする請求項１から３の何れか１項に記載の廃液焼却炉内部の清掃方法。
【請求項５】
上記清掃工程における水蒸気の供給量が、４〜１００ｋｇ／ｈの範囲内であることを特徴とする請求項４に記載の廃液焼却炉内部の清掃方法。
【請求項６】
上記清掃工程の後、当該廃液バーナーからの水蒸気の供給を停止すると共に、当該廃液バーナーから空気を供給し、その後、当該廃液バーナーからの廃液の供給を再開することを特徴とする請求項１から５の何れか１項に記載の廃液焼却炉内部の清掃方法。
【請求項７】
請求項１から６の何れか１項に記載の廃液焼却炉内部の清掃方法を行った後、さらに、当該廃液バーナーから最も離れた位置にある別の廃液バーナーにおいて上記清掃工程を行うことを特徴とする廃液焼却炉内部の清掃方法。
【発明の詳細な説明】
【技術分野】
【０００１】
本発明は、廃液焼却炉内部の清掃方法に関するものであり、より詳しくは、塔頂のバーナーから燃料を供給し、上記バーナーよりも下に位置する複数の廃液バーナーから供給される廃液を焼却する廃液焼却炉の内部を、稼働時に清掃する方法に関する。
【背景技術】
【０００２】
各種プラントにおいては、廃液の焼却処理を行うために、塔頂のバーナーから燃料（補助燃料）として重油等を供給し、上記バーナーよりも下に位置する複数の廃液バーナーから廃液を供給して焼却する廃液焼却炉、具体的には、例えば、ＣＴ(Combustion Treatment)焼却炉や液中燃焼炉が用いられている。廃液バーナーは、通常、廃液焼却炉全体で４本から１２本取り付けられている。上記廃液焼却炉内部の温度は、塔頂付近では１０００℃以上（コニカル部は凡そ９００℃）、廃液バーナーよりも下方では凡そ９００〜１０００℃（中央部は凡そ９５０℃）となる。これに対して、廃液バーナーの周囲（並びにその上方）では、廃液を燃焼させるために廃液と共に空気が供給されるので、当該空気によって冷却され、上記温度は凡そ８００℃にしかならない。
【０００３】
上記廃液は、焼却処理を行う前に、通常、水酸化ナトリウムや硫酸を用いた中和処理が施されている。つまり、廃液には一般的に、中和に用いられたナトリウムが含まれている。そして、当該廃液を焼却処理すると、有機物は完全燃焼して二酸化炭素と水とになる一方、無機物であるナトリウムは燃焼ガス（排気ガス）に含まれる二酸化炭素や二酸化硫黄等と反応して、炭酸ナトリウム（Ｎａ２ ＣＯ３ ）や硫酸ナトリウム（Ｎａ２ ＳＯ４ ）となる。炭酸ナトリウムは融点が８５１℃であり、硫酸ナトリウムは融点が８８４℃である。
【０００４】
このため、廃液焼却炉を長時間（連続的に）、稼働させると、温度が凡そ８００℃にしかならない廃液バーナーの周囲（並びにその上方）では、炭酸ナトリウム（および硫酸ナトリウム）は融解せずに、廃液焼却炉の内壁に付着（析出）して徐々に堆積する。そして、主成分が炭酸ナトリウム（および硫酸ナトリウム）からなる付着物が鍾乳石のように（つらら状に）成長すると、当該付着物が廃液バーナーの前面にぶら下がり、廃液の噴霧状態を悪化させるので、廃液焼却炉は燃焼不良を引き起こす。
【０００５】
従って、廃液焼却炉を安定して連続的に稼働させるには、付着物を定期的に除去して燃焼状態を回復させる必要がある。
【０００６】
従来、付着物の除去は、廃液焼却炉の稼働を一旦停止し、水蒸気を供給して廃液バーナーを冷却した後、当該廃液焼却炉から廃液バーナーを抜き取り、抜き取った孔を通じて内部状況の確認を行った上で、治具等を用いた物理的な剥離（剥ぎ取り）を行うことによって実施されている。また、表面に付着した付着物を除去するため、抜き取られた廃液バーナーは一旦回収され、清掃される。従って、廃液焼却炉には、付着物の除去後、清掃作業が行われた別の廃液バーナーが取り付けられる。
【特許文献１】特開平１０−１６０１４６号公報（１９９８年６月１９日公開）
【発明の開示】
【発明が解決しようとする課題】
【０００７】
上記付着物の除去は、廃液焼却炉を連続的に稼働させる場合には、例えば、廃液バーナー１本当たり年間１００回程度、行わなければならない。つまり、廃液バーナーが８本取り付けられている廃液焼却炉全体では、年間で最大８００回程度、付着物の除去を行わなければならない。
【０００８】
しかしながら、上記廃液バーナーは、一般的に２０ｋｇ程度の重量があり、また、廃液焼却炉における取り付け位置は、通常、地上から凡そ５階の高さに相当する。つまり、付着物を除去するときには、その都度、重量物である廃液バーナーを凡そ十数ｍの高さにまで上げ下げしなければならない。
【０００９】
また、廃液バーナーを抜き取った孔を通じて付着物の除去作業を行うので、熱風や付着物の飛散から身を守るため、作業者は耐火服（防護服）や保護具を着用・装着して当該作業を行わなければならない。即ち、付着物の除去作業は重労働（所謂３Ｋ作業）であるという問題点を有している。
【００１０】
また、付着物を除去するときには廃液焼却炉の稼働を停止しなければならないので、廃液焼却炉を長期間、連続稼働させることができないという問題点が生じると共に、廃液焼却炉の稼働の停止時および再開時に一酸化炭素が発生するという不都合も生じる。
【００１１】
それゆえ、廃液焼却炉を長期間、連続稼働させながら付着物の除去作業を簡便に行うことができる廃液焼却炉内部の清掃方法が望まれている。
【００１２】
本発明は上記問題に鑑みてなされたものであり、その主たる目的は、廃液焼却炉を長期間、連続稼働させながら付着物の除去作業を実施することができ、しかも、当該除去作業を簡便に行うことができる廃液焼却炉内部の清掃方法を提供することにある。
【課題を解決するための手段】
【００１３】
本発明に係る廃液焼却炉内部の清掃方法は、上記の課題を解決するために、塔頂のバーナーから燃料が供給されると共に、上記バーナーよりも下に位置する複数の廃液バーナーから噴霧によって廃液が供給され、当該廃液が焼却される廃液焼却炉の内部を、当該廃液焼却炉の稼働時に清掃する方法であって、１本の廃液バーナーからの廃液の供給を停止した後、当該廃液バーナーからの空気の供給を停止すると共に、当該廃液バーナーから水蒸気を供給する清掃工程を行うことを特徴としている。
【００１４】
上記の方法によれば、１本の廃液バーナーからの廃液の供給を停止した後、当該廃液バーナーからの空気の供給を停止するので、廃液バーナーの周囲（並びにその上方）の温度を上昇させることができる。従って、廃液焼却炉の内壁に付着（析出）して徐々に堆積した主成分が炭酸ナトリウム（および硫酸ナトリウム）からなる付着物を融解させることができ、落下させることによって除去することができる。
【００１５】
また、当該廃液バーナーから水蒸気を供給するので、廃液バーナーを冷却することができる。従って、付着物の除去作業を行っているときに廃液バーナーが焼損することを防止することができる。
【００１６】
本発明に係る廃液焼却炉内部の清掃方法においては、上記空気の供給停止および水蒸気の供給を行うことにより、廃液焼却炉内部における当該廃液バーナーの周囲の温度を、８５０℃以上に昇温させることがより好ましい。これにより、付着物を確実に融解させることができる。
【００１７】
また、本発明に係る廃液焼却炉内部の清掃方法においては、上記清掃工程における空気の供給停止時間、または、水蒸気の供給時間が、４５秒〜９０秒の範囲内であることがより好ましい。さらに、本発明に係る廃液焼却炉内部の清掃方法においては、廃液バーナーを焼損させない程度に水蒸気を供給することがより好ましい。また、上記清掃工程における水蒸気の供給量が、４〜１００ｋｇ／ｈの範囲内であることがより好ましい。これにより、廃液バーナーが焼損することを、より一層防止することができる。
【００１８】
また、本発明に係る廃液焼却炉内部の清掃方法においては、上記清掃工程の後、当該廃液バーナーからの水蒸気の供給を停止すると共に、当該廃液バーナーから空気を供給し、その後、当該廃液バーナーからの廃液の供給を再開することがより好ましい。これにより、廃液焼却炉の稼働を素早く定常状態に戻すことができる。
【００１９】
さらに、本発明に係る廃液焼却炉内部の清掃方法においては、上記清掃方法を行った後、さらに、当該廃液バーナーから最も離れた位置にある別の廃液バーナーにおいて上記清掃工程を行うことがより好ましい。このように清掃工程を実施することにより、廃液焼却炉全体の付着物を除去することができる。
【発明の効果】
【００２０】
本発明に係る廃液焼却炉内部の清掃方法は、塔頂のバーナーから燃料が供給されると共に、上記バーナーよりも下に位置する複数の廃液バーナーから噴霧によって廃液が供給され、当該廃液が焼却される廃液焼却炉の内部を、当該廃液焼却炉の稼働時に清掃する方法であって、１本の廃液バーナーからの廃液の供給を停止した後、当該廃液バーナーからの空気の供給を停止すると共に、当該廃液バーナーから水蒸気を供給する清掃工程を行う方法である。
【００２１】
これにより、廃液焼却炉を長期間、連続稼働させながら付着物の除去作業を実施することができ、しかも、当該除去作業を簡便に行うことができる廃液焼却炉内部の清掃方法を提供することができるという効果を奏する。
【発明を実施するための最良の形態】
【００２２】
本発明に係る清掃方法の好適な実施形態の一例について、以下に説明する。
【００２３】
＜廃液焼却炉＞
先ず、本発明に係る清掃方法の対象となる廃液焼却炉の一例を、プラントの周辺設備も含めて記載した図１、および図２を参照しながら説明する。尚、以下の説明においては、廃液焼却炉が液中燃焼炉である場合を例に挙げることとするが、清掃方法の対象となる廃液焼却炉は液中燃焼炉に限定されるものではない。
【００２４】
本発明に係る清掃方法を実施するのに好適な廃液焼却炉は公知の廃液焼却炉であり、耐火レンガが内張りされている。図１および図２に示すように、廃液焼却炉１の塔頂には、燃料（補助燃料）を供給するメインバーナー（バーナー）１１が取り付けられており、当該メインバーナー１１には燃料供給配管２１と空気供給配管２２とが接続されている。廃液焼却炉１における上記メインバーナー１１よりも下には、複数の廃液バーナー１２…が互いに等間隔で同じ高さに取り付けられており、当該廃液バーナー１２には廃液供給配管２３と空気供給配管２２と水蒸気供給配管２４とが接続されている。
【００２５】
図２に示すように、燃料供給配管２１は、ポンプ（図示しない）を介して燃料タンク３１に接続されており、燃料タンク３１からメインバーナー１１に燃料を供給する。空気供給配管２２は、ブロワーを備えた空気供給設備３２に接続されており、メインバーナー１１および廃液バーナー１２に燃焼用の空気（酸素）を供給するようになっている。廃液供給配管２３は、ポンプ９を介して廃液タンク８に接続されており、廃液タンク８から廃液バーナー１２に廃液を一定の圧力で供給する。水蒸気供給配管２４は、水蒸気発生設備３３に接続されており、清掃工程を行うときに廃液バーナー１２に水蒸気（好ましくは飽和状態）を供給する。
【００２６】
図１に示すように、廃液焼却炉１の塔底には例えば金属で形成されたダウンカマー１ａが設けられており、ダウンカマー１ａの下方には、水が満たされた吸収缶２が設置されている。廃液焼却炉１で発生した燃焼ガスは、ダウンカマー１ａを通して吸収缶２内の水中に導入され、バブリングされて冷却された後、配管３１を通じて吸収缶２の外部に排出される。排出された燃焼ガスは、殆どが窒素、二酸化炭素および水蒸気であり、気液分離器３および除塵設備４等の後工程へ送られる。
【００２７】
一方、無機物である炭酸ナトリウムや硫酸ナトリウムは、廃液焼却炉１から降下して吸収缶２内の水に溶解するようになっている。炭酸ナトリウムは、その一部が水中で二酸化炭素や二酸化硫黄等と反応して炭酸水素ナトリウム（重炭酸ナトリウム）や硫酸ナトリウムに変化する。上記水は、吸収缶２内に例えば連続的に供給されると共に連続的に回収されるようになっており、回収された水はタンク７に貯蔵された後、アルカリ水（ソーダ水）として再利用される。これにより、炭酸カルシウムによる各種装置・配管内のスケーリングを防止することができる。
【００２８】
上記吸収缶２内の水のＴＯＤ（Total Oxygen Demand；全酸素消費量）を測定することにより、廃液焼却炉１内の燃焼状態を判断することができる。ＴＯＤが一定値以上になると、廃液バーナー１２の噴霧不良によって廃液焼却炉に燃焼不良が発生していると予測することができる。
【００２９】
図２に示すように、空気供給配管２２には、空気供給設備３２から廃液バーナー１２に至るまでに、自動調節弁２２ａ、流量計２２ｂ、および、開閉弁２２ｃ（図３）が取り付けられている。廃液供給配管２３には、廃液タンク８から廃液バーナー１２に至るまでに、開閉弁２３ａおよび自動開閉バルブ２３ｂが取り付けられている。水蒸気供給配管２４には、水蒸気発生設備３３から廃液バーナー１２に至るまでに、開閉弁２４ａ・２４ｂおよび自動開閉バルブ２４ｃが取り付けられている。また、廃液供給配管２３と水蒸気供給配管２４とは、途中で一つの共通配管２５にまとめられて廃液バーナー１２に接続されている。尚、水蒸気供給配管２４の末端には、蒸気ドレイン設備２４ｄが設けられている。また、廃液バーナー１２には開閉弁１２ａが設けられている。
【００３０】
メインバーナー１１は、燃料である重油等を供給するノズルと空気を供給するノズルとを有する３流体バーナーである。また、メインバーナー１１の周囲には、燃焼用の空気（酸素）を供給する供給配管（図示しない）が設けられている。重油等の単位時間当たりの供給量は、廃液焼却炉１の大きさ、廃液の量、廃液の組成（単位重量当たりの熱量）等に応じて、適宜設定すればよい。空気の単位時間当たりの供給量は、重油等および廃液の量、廃液の組成（単位重量当たりの熱量）等に応じて、完全燃焼を行わせることができるように、適宜設定すればよい。具体的には、例えば、燃焼ガス（排気ガス）中の残存酸素濃度が一定の範囲内となるように空気の供給量を調節すればよい。尚、重油の代わり（または一部）に、各種製造プロセスで回収された不要な油成分を用いることもできる。また、メインバーナー１１は、３流体バーナーに限定されるものではなく、燃料を噴霧することができる構成を備えていればよい。
【００３１】
廃液バーナー１２は、廃液を供給するノズルと空気を供給するノズルとを有する圧力型の３流体バーナーである。また、廃液バーナー１２の周囲には、燃焼用の空気（酸素）を供給する供給配管（図示しない）が設けられている。廃液の単位時間当たりの供給量は、廃液焼却炉１の大きさ、当該廃液の組成（単位重量当たりの熱量）等に応じて、適宜設定すればよい。尚、廃液バーナー１２は、３流体バーナーに限定されるものではなく、廃液を噴霧することができる構成を備えていればよい。
【００３２】
上記廃液バーナー１２の本数は特に限定されるものではなく、廃液焼却炉１の大きさや、焼却すべき廃液の供給量に応じて調整すればよいが、通常は４〜１２本の範囲内である。尚、１本の廃液バーナー１２から噴霧される廃液の単位時間当たりの供給量は、廃液焼却炉を定常状態で稼働させるために、ほぼ一定であることが好ましい。
【００３３】
＜清掃方法＞
上記廃液焼却炉１に対して行う本発明に係る清掃方法の好適な実施形態の一例を、図２および図３を参照しながら説明する。本発明に係る清掃方法は、廃液焼却炉１の内部を、当該廃液焼却炉１の稼働時に清掃する方法である。
【００３４】
図３に示すように、廃液焼却炉１の内壁に、主成分が炭酸ナトリウム（および硫酸ナトリウム）からなる付着物４０が付着（析出）して徐々に堆積すると、当該付着物４０は、廃液バーナー１２のノズル先端部１２ｃの前面にぶら下がり、廃液の噴霧状態を悪化させる。即ち、付着物４０の堆積によって、廃液焼却炉１に燃焼不良が発生する。このように燃焼不良が発生すると、本発明に係る清掃方法を実施することになる。
【００３５】
上記清掃方法の工程（清掃工程）を、手順を追って説明する。
【００３６】
廃液焼却炉１を定常状態で稼働させるには、炉内の温度変動ができるだけ小さくなるような管理操作を行うことが望ましい。従って、清掃工程を実施する廃液バーナー１２は、一度に１本とすることが望ましい。
【００３７】
先ず、図２に示すように、廃液供給配管２３に取り付けられた自動開閉バルブ２３ｂを閉状態にすることにより、廃液タンク８から清掃対象となっている廃液バーナー１２への廃液の供給を停止する（工程１）。尚、残りの廃液バーナー１２…に対しては、廃液の供給を引き続き行う。従って、残りの廃液バーナー１２…では廃液の噴霧が引き続き行われる。
【００３８】
次に、水蒸気供給配管２４に取り付けられた自動開閉バルブ２４ｃを開状態にすることにより、水蒸気発生設備３３から清掃対象となっている廃液バーナー１２へ水蒸気を供給する（工程２）。
【００３９】
また、空気供給配管２２に取り付けられた開閉弁２２ｃを閉状態にすることにより、清掃対象となっている廃液バーナー１２への空気の供給を停止する（工程３）。
【００４０】
上記工程２および工程３の順序は、何方を先に行ってもよい。つまり、「工程１，２，３」の順序で行ってもよく、「工程１，３，２」の順序で行ってもよい。但し、各工程の終了時点から次の工程の開始時点までのタイムラグは、数秒程度であることが望ましい。
【００４１】
そして、上記各工程を行った後、その状態を４５〜９０秒間、より好ましくは６０秒間、維持する（工程４）。つまり、「工程１，２，３」の順序で行った場合には、空気の供給停止時間が４５秒〜９０秒の範囲内となるように工程４を実施する。一方、「工程１，３，２」の順序で行った場合には、水蒸気の供給時間が４５秒〜９０秒の範囲内となるように工程４を実施する。これにより、廃液焼却炉１内部における当該廃液バーナー１２の周囲（並びにその上方）の温度を徐々に、８５０℃以上に昇温させることができる。
【００４２】
当該廃液バーナー１２の周囲（並びにその上方）の温度が８５０℃以上に昇温すると、主成分が炭酸ナトリウム（および硫酸ナトリウム）からなる付着物４０は融解し、廃液焼却炉１の内壁から剥がれて落下する。つまり、廃液バーナー１２のノズル先端部１２ｃの前面にぶら下がっている付着物４０は除去される。一方、廃液バーナー１２には、水蒸気を供給しているので、温度の上昇を抑制することができる。従って、廃液バーナー１２の焼損を防止することができる。
【００４３】
上記工程４の時間が４５秒間よりも短い場合には、付着物４０を充分に融解させることができないので、清掃が不充分となる。一方、上記工程４の時間が９０秒間よりも長い場合には、水蒸気による温度上昇の抑制効果が乏しくなるので、廃液バーナー１２が焼損するおそれがある。
【００４４】
その後、空気供給配管２２に取り付けられた開閉弁２２ｃを開状態にすることにより、当該廃液バーナー１２への空気の供給を再開する（工程５）。
【００４５】
また、水蒸気供給配管２４に取り付けられた自動開閉バルブ２４ｃを閉状態にすることにより、水蒸気発生設備３３から当該廃液バーナー１２への水蒸気の供給を停止する（工程６）。
【００４６】
次いで、廃液供給配管２３に取り付けられた自動開閉バルブ２３ｂを開状態にすることにより、廃液タンク８から廃液バーナー１２への廃液の供給を再開する（工程７）。
【００４７】
上記工程５および工程６の順序は、何方を先に行ってもよい。つまり、「工程５，６，７」の順序で行ってもよく、「工程６，５，７」の順序で行ってもよい。但し、「工程１，２，３」の順序で行った場合には、「工程５，６，７」の順序で行うことがより好ましく、「工程１，３，２」の順序で行った場合には、「工程６，５，７」の順序で行うことがより好ましい。また、各工程の終了時点から次の工程の開始時点までのタイムラグは、数秒程度であることが望ましい。従って、各自動開閉バルブ２３ｂ・２４ｃ・開閉弁２２ｃは自動弁であることが好ましく、各工程１〜７は制御装置によって自動制御されていることが好ましい。
【００４８】
本発明に係る清掃方法として、上記工程１〜７に示す清掃工程を実施することにより、清掃対象となっている１本の廃液バーナー１２に対する清掃作業が終了する。
【００４９】
上記工程２においては、廃液バーナー１２を焼損させない程度に水蒸気を供給することが好ましい。具体的には、清掃対象となっている廃液バーナー１２への水蒸気の供給量は、４〜１００ｋｇ／ｈの範囲内とすればよい。例えば、清掃工程中に廃液バーナー１２に供給される水蒸気の量は、工程４の維持時間が６０秒間である場合、０．０７〜１．６７ｋｇとすればよい。
【００５０】
清掃工程は、燃焼ガスに含まれる一酸化炭素の濃度や、吸収缶２内の水のＴＯＤを測定して、一定の数値以上になれば実施すればよいが、単純に一定時間毎に実施する方が簡便である。具体的には、廃液焼却炉１の稼働状況や廃液の組成（単位重量当たりの熱量）にもよるが、清掃工程は、１日当たり、２本程度の廃液バーナー１２に対して実施すれば充分である。従って、廃液焼却炉１に廃液バーナー１２が８本取り付けられている場合には、４日で一通りの清掃工程が実施されることになる。
【００５１】
例えば、清掃工程を１日当たり２本の廃液バーナー１２に対して実施する場合には、１本の廃液バーナー１２に対して上記清掃工程を行った後、廃液焼却炉１を定常状態で稼働させるために半日程度の間隔を空け、その後、清掃対象となっている次の廃液バーナー１２に対する上記清掃工程を行うことが好ましい。このとき、次の廃液バーナーは、廃液焼却炉１を定常状態で稼働させるために、直前に清掃工程を行った廃液バーナー１２から最も離れた位置にある廃液バーナー１２を選択することが好ましい。より具体的には、最も離れた位置にある廃液バーナー１２が２つ前に清掃工程を行った廃液バーナー１２である場合には、その廃液バーナーの隣に位置する廃液バーナー１２を清掃対象とすることが好ましい。要するに、廃液焼却炉１を定常状態で稼働させるためには、できるだけ離れた位置にある廃液バーナー１２を次の清掃対象とすることが好ましい。
【００５２】
以上のように、本発明に係る廃液焼却炉内部の清掃方法によれば、１本の廃液バーナーからの廃液の供給を停止した後、当該廃液バーナーからの空気の供給を停止するので、廃液バーナーの周囲（並びにその上方）の温度を上昇させることができる。従って、廃液焼却炉の内壁に付着（析出）して徐々に堆積した主成分が炭酸ナトリウム（および硫酸ナトリウム）からなる付着物を融解させることができ、落下させることによって除去することができる。また、当該廃液バーナーから水蒸気を供給するので、廃液バーナーを冷却することができる。従って、付着物の除去作業を行っているときに廃液バーナーが焼損することを防止することができる。即ち、本発明によれば、廃液焼却炉を長期間、連続稼働させながら付着物の除去作業を実施することができ、しかも、当該除去作業を簡便に行うことができる。
【産業上の利用可能性】
【００５３】
本発明によれば、１本の廃液バーナーからの廃液の供給を停止した後、当該廃液バーナーからの空気の供給を停止すると共に、当該廃液バーナーから水蒸気を供給する清掃工程を行うので、廃液焼却炉を長期間、連続稼働させながら付着物の除去作業を実施することができ、しかも、当該除去作業を簡便に行うことができる。即ち、廃液焼却炉内部の簡便な清掃方法を提供することができるので、幅広い産業上の利用が可能である。
【図面の簡単な説明】
【００５４】
【図１】本発明に係る清掃方法の対象となる廃液焼却炉の一例を示すものであり、周辺設備も含めた概略の構成を示すブロック図である。
【図２】上記廃液焼却炉の要部の構成を示す概略の正面図である。
【図３】上記廃液焼却炉の要部の構成を示す概略の断面図である。
【符号の説明】
【００５５】
１    廃液焼却炉
２    吸収缶
１１    メインバーナー（バーナー）
１２    廃液バーナー
２１    燃料供給配管
２２    空気供給配管
２３    廃液供給配管
２４    水蒸気供給配管
４０    付着物
【図１】
0005011080.tif 000002
【図２】
0005011080.tif 000003
【図３】
0005011080.tif 000004